(57)【要約】【課題】  織機の起動直後に発生する織段を防止することにある。【解決手段】  織機の経糸張力制御方法は、織機の停止期間中に変化した経糸の張力値を、織機の運転期間における経糸の張力値に復帰させる。経糸張力制御方法は、織機の運転指令の発生から織機の起動開始までの起動準備期間中に、経糸の張力を検出し、検出した張力値を、予め設定された、前記起動開始までに復帰させるべき経糸の張力値である復帰目標経糸張力値に近づけるように、経糸送出および経糸巻取の少なくともいずれか一方の動作を制御すること、前記運転期間中に、経糸の張力値を検出し、検出した張力値を予め設定された定常運転目標経糸張力値に近づけるように、経糸の送出速度を制御すること、前記起動開始直後の所定期間における経糸の張力値に基づいて、前記復帰目標経糸張力値を修正することを含む。【選択図】  図３
2006057227.tif 000002
【特許請求の範囲】
【請求項１】
織機の停止期間中に変化した経糸の張力値を、織機の運転期間における経糸の張力値に復帰させる織機の経糸張力制御方法において、
織機の運転指令の発生から織機の起動開始までの起動準備期間中に、経糸の張力を検出し、検出した張力値を、予め設定された、前記起動開始までに復帰させるべき経糸の張力値である復帰目標経糸張力値に近づけるように、経糸送出および経糸巻取の少なくともいずれか一方の動作を制御すること、
前記運転期間中に、経糸の張力値を検出し、検出した張力値を予め設定された定常運転目標経糸張力値に近づけるように、経糸の送出速度を制御すること、
前記起動開始直後の所定期間における経糸の張力値に基づいて、前記復帰目標経糸張力値を修正することを含む、織機の経糸張力制御方法。
【請求項２】
さらに、前記起動開始直後の所定期間における経糸の張力値の平均値を求めること、
前記平均値と前記定常運転目標経糸張力値とを同時に表示することを含む、請求項１に記載の織機の経糸張力制御方法。
【請求項３】
さらに、前記起動開始直後の所定期間における経糸の張力値の平均値を求めること、
前記平均値と前記定常運転目標経糸張力値とを比較し、前記平均値と前記定常運転目標経糸張力値との大小関係を表示することを含む、請求項１に記載の織機の経糸張力制御方法。
【請求項４】
前記平均値と前記定常運転目標経糸張力値との大小関係に基づいて新たな復帰目標経糸張力値を自動的に求め、求めた新たな復帰目標経糸張力値に基づいて前記復帰目標経糸張力値を修正する、請求項１から３のいずれか１項に記載の織機の経糸張力制御方法。
【請求項５】
織機の停止期間中に変化した経糸の張力値を、織機の運転期間における経糸の張力値に復帰させるべく、織機の運転指令の発生から織機の起動開始までの起動準備期間中に、検出した張力値を、予め設定された、前記起動開始までに復帰させるべき経糸の張力値である復帰目標経糸張力値に近づけるように、経糸送出および経糸巻取の少なくともいずれか一方の動作を制御し、前記運転期間中に、経糸の張力値を検出し、検出した経糸の張力値を予め設定された定常運転目標経糸張力値に近づけるように、経糸の送出速度を制御する経糸張力制御装置であって、
前記定常運転目標経糸張力値と前記復帰目標経糸張力値とを設定する設定器と、前記経糸の張力値又は前記経糸の張力値に基づく情報を記憶する記憶器と、前記経糸の張力値又は前記経糸の張力値に基づく情報を表示する表示器とを含む、織機の経糸張力制御装置。
【請求項６】
織機の停止期間中に変化した経糸の張力値を、織機の運転期間における経糸の張力値に復帰させるべく、織機の運転指令の発生から織機の起動開始までの起動準備期間中に、検出した張力値を、予め設定された、前記起動開始までに復帰させるべき経糸の張力値である復帰目標経糸張力値に近づけるように、経糸送出および経糸巻取の少なくともいずれか一方の動作を制御し、前記運転期間中に、経糸の張力値を検出し、検出した経糸の張力値を予め設定された定常運転目標経糸張力値に近づけるように、経糸の送出速度を制御する経糸張力制御装置であって、
前記定常運転目標経糸張力値と前記新たな復帰目標経糸張力値とを設定する設定器と、前記定常運転目標経糸張力値と前記新たな復帰目標経糸張力値とを記憶する記憶器と、前記起動開始直後の所定期間の経糸の張力値と前記定常運転目標経糸張力値とに基づいて、前記新たな復帰目標経糸張力値を演算し、設定する演算器とを含む、織機の経糸張力制御装置。
【発明の詳細な説明】
【技術分野】
【０００１】
本発明は、織機の経糸張力制御方法及び装置に関する。
【背景技術】
【０００２】
経糸送出装置は、織機の運転開始直後から運転停止までの運転期間中の経糸の張力を一定の範囲に保つように、経糸の送出量を制御する。
【０００３】
しかし、織機の運転停止から次の運転開始までの運転停止期間の経糸の張力は、運転停止状態が経過するにつれて、低下する。
【０００４】
そこで、起動開始前に起動準備期間を設け、起動準備期間中に、低下した経糸の張力を復帰させ、起動準備期間に続く運転期間中に製織をする方法が知られている（特許文献１参照）。
【０００５】
具体的には、経糸送出装置は、織機の運転中に、主軸の回転角度と経糸の張力値とを検出し、検出した主軸の回転角度と経糸の張力値とを経糸送出装置の記憶部に記憶する。
【０００６】
織機制御装置は、緯糸の緯入れ不具合などが生じた場合、織機の運転を中止する。
【０００７】
織機制御装置は、緯糸の緯入れ不具合などが取り除かれた後に、主軸を所定の回転角度になるように回転させる。
【０００８】
経糸送出装置は、停止した織機が再び製織運転する前に、予め、製織運転を開始する主軸回転角度に対応する織機運転中の実際の経糸の張力値をメモリから読み出し、その読み出された張力値に基づいて経糸送出装置の送出ビームに巻かれている経糸を送り出し又は巻き取る張力復帰動作をする。
【０００９】
しかし、図７に示すように、織機の製織運転中、換言すると運動状態の経糸の張力値と、スロー運転中、換言すると寸動状態又は停止時の経糸の張力値とは、異なる。なお、図７は、定常運転中及びスロー運転時における、経糸張力値の変化を別途測定したものである。
【００１０】
具体的に説明すると、定常運転中では、開口装置の綜絖は、経糸を高速で上下方向に移動させているから、経糸に与える負担が大きく、検出される経糸の張力値は、スロー運転中の経糸の張力値より大きい。
【００１１】
しかし、スロー運転時、換言すると寸動状態又は停止時の綜絖の上下方向への運動が緩やかであるから、綜絖が経糸に与える負担が小さい。このため、主軸の回転角度が同一のときの製織運転中の経糸張力値は、スロー運転中、換言すると停止中の経糸張力値より大きい。
【００１２】
この結果、定常運転時の経糸の張力値に基づいて、停止状態からの張力復帰動作を行うから、正確に張力復帰が行われない。正確な張力復帰動作が行われないと、起動直後の張力が安定しないから、織段が発生しやすい。
【００１３】
【特許文献１】特公平８−１６２９９号公報
【発明の開示】
【発明が解決しようとする課題】
【００１４】
本発明の目的は、織機の起動直後に発生する織段を防止することにある。
【課題を解決するための手段】
【００１５】
本発明に係る織機経糸張力制御方法は、織機の停止期間中に変化した経糸の張力値を、前記織機の運転期間における経糸の張力値に復帰させる。織機経糸張力制御方法は、織機の運転指令の発生から織機の起動開始までの起動準備期間中に、経糸の張力を検出し、検出した張力値を、予め設定された、前記起動開始までに復帰させるべき経糸の張力値である復帰目標経糸張力値に近づけるように、経糸送出および経糸巻取の少なくともいずれか一方の動作を制御すること、前記運転期間中に、経糸の張力値を検出し、検出した張力値を予め設定された定常運転目標経糸張力値に近づけるように、経糸送出速度を制御すること、前記起動開始直後の所定期間における経糸の張力値に基づいて、前記復帰目標経糸張力値を修正することを含む。
【００１６】
本発明に係る経糸張力制御装置は、織機の停止期間中に変化した経糸の張力値を、織機の運転期間における経糸の張力値に復帰させるべく、織機の運転指令の発生から織機の起動開始までの起動準備期間中に、検出した張力値を、予め設定された、前記起動開始までに復帰させるべき経糸の張力値である復帰目標経糸張力値に近づけるように、経糸送出および経糸巻取の少なくともいずれか一方の動作を制御し、前記運転期間中に、経糸の張力値を検出し、検出した経糸の張力値を予め設定された定常運転目標経糸張力値に近づけるように、経糸の送出速度を制御する。経糸張力制御装置は、前記定常運転目標経糸張力値と前記復帰目標経糸張力値とを設定する設定器と、前記経糸の張力値又は前記経糸の張力値に基づく情報を記憶する記憶器と、前記経糸の張力値又は前記経糸の張力値に基づく情報を表示する表示器とを含む。
【００１７】
本発明に係る別の経糸張力制御装置は、織機の停止期間中に変化した経糸の張力値を、織機の運転期間における経糸の張力値に復帰させるべく、織機の運転指令の発生から織機の起動開始までの起動準備期間中に、検出した張力値を、予め設定された、前記起動開始までに復帰させるべき経糸の張力値である復帰目標経糸張力値に近づけるように、経糸送出および経糸巻取の少なくともいずれか一方の動作を制御し、前記運転期間中に、経糸の張力値を検出し、検出した経糸の張力値を予め設定された定常運転目標経糸張力値に近づけるように、経糸の送出速度を制御する。経糸張力制御装置は、前記定常運転目標経糸張力値と前記新たな復帰目標経糸張力値とを設定する設定器と、前記定常運転目標経糸張力値と新たな復帰目標経糸張力値とを記憶する記憶器と、前記定常運転の開始直後の所定期間の前記経糸の張力値と前記定常運転目標経糸張力値とに基づいて、前記新たな復帰目標経糸張力値を演算し、設定する演算器とを含む。
【発明の効果】
【００１８】
本発明によれば、織機の経糸張力制御方法及び装置は、起動開始直後の所定期間における経糸の張力値に基づいて、復帰目標経糸張力値を修正することを含む。このため、次の製織の運転期間の前の起動準備期間において、修正された復帰目標経糸張力値に近づけるように、経糸送出および経糸巻取の少なくともいずれか一方の動作、詳細には経糸の送出量および巻取量の少なくともいずれか一方を制御するから、経糸張力変化（経糸張力低下）及び経糸張力変化に伴う送出速度の変化による織機の起動直後すなわち所定運転の開始直後に発生する織段を抑制でき、起動後も直ちに安定した運転を行うことができる。その結果、織機の起動直後であっても織段は殆ど発生しない。
【００１９】
ここで、所定期間とは、１ピック（織機の主軸が１回転する範囲）を最小単位とした期間であり、例えば複数ピックで構成される製織パターンである１サイクルを１期間として定めてもよい。
【００２０】
運動状態にある起動直後の所定期間における経糸張力値と、定常運転目標経糸張力値との比較を行うことによって、前回の起動準備期間における張力復帰運転の復帰目標経糸張力値が最適値であったかどうかを判断することができる。これにより、次回の張力復帰運転の前記復帰目標経糸張力値を手動または自動で修正することができる。
【００２１】
また、次の織機の運転時には起動後、直ちに前記定常運転目標経糸張力値に近くなる最適な復帰目標経糸張力値を得ることができる。
【００２２】
よって、次の製織時にこの復帰目標経糸張力値に基づいて張力復帰運転を行うことによって、経糸張力変化（経糸張力低下）及び経糸張力変化に伴う送出速度の変化による起動直後に発生する織段を抑制でき、起動後も直ちに安定した運転を行うことができる。
【００２３】
経糸張力制御方法は、さらに、前記起動直後の所定期間における前記経糸張力値の平均値を求めること、前記平均値と前記定常運転目標経糸張力値とを同時に表示することを含んでいてもよい。そのようにすれば、平均値は、織機の起動直後の実際の経糸張力値の目安になるので、作業者は平均値と定常運転目標経糸張力値との差を把握できる。これにより、平均値と定常運転目標経糸張力値との差に基づいて次の織機の復帰目標経糸張力値を決めることができるから、作業者は復帰目標経糸張力値の調整を容易に短時間で行うことができる。
【００２４】
経糸張力制御方法は、さらに、前記平均値と前記定常運転目標経糸張力値とを比較し、前記平均値と前記定常運転目標経糸張力値との大小関係を表示することを含んでいてもよい。平均値と定常運転目標経糸張力値との大小関係を表示することによって、織機の起動直後の実際の経糸張力と定常運転目標経糸張力値との大小関係を作業者に直感的に把握させることができる。したがって、効率的に復帰目標経糸張力の調整を行うことができる。
【００２５】
前記復帰目標経糸張力値の修正は、前記平均値と前記定常運転目標経糸張力値との大小関係に基づいて新たな復帰目標経糸張力値を自動的に求め、求めた新たな復帰目標経糸張力値に基づいてすることができる。そのようにすることにより、織機の運転を開始する毎に、最適な復帰目標経糸張力値が自動的に設定されるので、復帰目標経糸張力の調整等作業者の工数を減らすことができる。
【発明を実施するための最良の形態】
【００２６】
［織機］
【００２７】
図１を参照するに、織機１０において、経糸１２は、これが巻かれている送出ビーム１４から、バックローラ１６、複数の綜絖枠１８及び筬２０を経て織前２２に繋がっている。
【００２８】
緯入れされた緯糸２４は、筬２０によって織前２２に筬打ちされ、織布２６となる。
【００２９】
織布２６は、織前２２から、服巻ロール２８に達する。服巻ロール２８に達した織布２６は、服巻ロール２８と一対のプレスロール３０とにより布巻ビーム３２に送り出される。送り出された織布２６は、布巻ビーム３２に巻き取られる。
【００３０】
送出ビーム１４は、送出モータ３４により歯車のような減速機構で構成されるギア機構３６を介して回転されて複数の経糸１２をシートの形で送出する。
【００３１】
経糸１２に作用している張力の値は、バックローラ１６に作用する荷重を検出する経糸張力センサ３８により、例えば主軸回転角度１°毎に検出される。検出された経糸の張力の値は、経糸１２に実際に作用している張力値Ｔとして経糸送出装置４０に供給される。
【００３２】
各綜絖枠１８は、主軸モータ４２により回転される主軸４４の回転運動を受ける運動変換機構により上下に往復移動されて、経糸１２を上下に開口させる。
【００３３】
筬２０は、主軸４４の回転運動を受ける運動変換機構により揺動されて、経糸１２の開口に緯入れされた緯糸２４を織前２２に打ち付ける。
【００３４】
服巻ロール２８は、巻取モータ４６の回転運動を受ける歯車のような減速機構で構成されるギア機構により回転される。回転された服巻ロール２８は、一対のプレスロール３０と共同して織布２６を布巻ビーム３２に送り出す。
【００３５】
主軸４４の回転角度は、エンコーダ４８によって検出される。検出された主軸の回転角度は、主軸回転角度θとして、経糸送出装置４０に供給される。
【００３６】
［経糸送出装置］
【００３７】
図２に織機１０のブロック図を示す。経糸送出装置４０は、起動開始直後の所定期間中の経糸１２の張力値に基づく情報を演算する演算器５０と、定常運転目標経糸張力値と復帰目標経糸張力値とを設定する設定器５２と、前記情報を記憶する記憶器５４と、前記情報を表示する表示器５６とを含む。なお、後述する実施例では、経糸送出装置４０が経糸張力制御装置として機能する。
【００３８】
経糸送出装置４０は、織機１０の停止期間中に変化した経糸張力値を織機１０の運転期間における経糸張力値に復帰させるように、経糸１２の送出モータ３４を制御する。
【００３９】
経糸１２の張力は、経糸張力センサ３８によって検出され、検出された経糸の張力は、経糸張力検出値Ｔとして経糸張力制御部５８に出力される。
【００４０】
運転ボタン６０は、作業者が製織運転の開始時と終了時に押すスイッチである。作業者が運転ボタン６０を押下する毎に、運転指令信号Ｓ１が織機制御装置６２及び経糸送出装置４０に出力される。
【００４１】
経糸送出装置４０の経糸張力制御部５８は、演算器５０を有する。演算器５０は、起動開始直後の所定期間中の経糸１２の張力値に基づく情報を演算する。
【００４２】
設定器５２は、定常運転目標経糸張力値と、起動開始までに復帰させるべき経糸の張力値である復帰目標経糸張力値とを設定することを含む。
【００４３】
定常運転目標経糸張力値と復帰目標経糸張力値とは、織機の運転の開始すなわち運転指令の発生までに予め設定される。また、復帰目標経糸張力値は、後述するように、織機の復帰動作開始後であっても、修正可能な値である。
【００４４】
演算器５０は後述する起動開始直後の所定期間中の経糸１２の張力値に基づく情報を演算する。
【００４５】
記憶器５４は起動開始直後の所定期間中の経糸１２の張力値に基づく情報を記憶する。
【００４６】
表示器５６は経糸１２の張力に基づく情報を表示する。
【００４７】
送出モータ３４は、経糸張力制御部５８からの駆動信号Ｓ２に基づいて送出モータ３４の出力軸を回転させる。
【００４８】
以下、経糸送出装置４０の動作を説明する。
【実施例１】
【００４９】
経糸送出装置４０は、織機１０の運転指令の発生から織機の起動開始までの起動準備期間中に、検出した経糸１２の張力値を、予め設定された、起動開始までに復帰させるべき経糸の張力値である復帰目標経糸張力値に近づけるように、経糸１２が巻かれている送出ビーム１４の回転動作による送出量又は巻取量を制御する。
【００５０】
また、経糸送出装置４０は、運転期間中に、経糸１２の張力値を検出し、検出した経糸１２の張力値を予め設定された定常運転目標経糸張力値に近づけるように、経糸１２の送出速度を制御する。
【００５１】
［停止期間］
【００５２】
織機１０が稼働しているときに、作業者が運転ボタン６０を押下すると、織機１０は停止する。これにより、運転期間が終了し、停止期間が開始する。
【００５３】
図３の例では、作業者が運転ボタン６０を押下したので、主軸４４の回転は回転角度θが約５０°の位置で停止した。
【００５４】
停止期間において、送出ビーム１４から服巻ロール２８までの経糸１２は張力を付与されているから、張力が付与された経糸１２は伸びる。このため、送出ビーム１４から服巻ロール２８までの経糸１２の張力値は、停止期間が長くなるにつれて小さくなる。
【００５５】
［起動準備期間］
【００５６】
作業者が運転ボタン６０を押下すると、運転指令信号Ｓ１が織機制御装置６２及び経糸送出装置４０に入力される。これにより、織機１０は、停止期間から起動準備期間に移行する。
【００５７】
経糸送出装置４０は、起動準備期間に経糸の張力値を起動開始に必要な経糸の張力値にすべく、以下の復帰動作を行う。
【００５８】
経糸送出装置４０は、織機１０の運転指令の発生から織機１０の起動開始までの起動準備期間中に、経糸１２の張力を経糸張力センサ３８によって検出し、検出した張力値を、予め設定器５２に設定された復帰目標経糸張力値に近づけるように、送出モータ３４を作動させて経糸１２を送り出したり巻き取ったりして、経糸１２の送出量または巻取量を制御する。また、同様に巻取モータ４６を作動させることによって経糸１２（織布２６）の送出量または巻取量を制御してもよい。
【００５９】
このように、送出モータ３４または巻取モータ４６のいずれか一方を作動させて、経糸１２の送出量または巻取量を制御してもよいし、送出モータ３４と巻取モータ４６を同時に作動させてもよい。例えば、送出モータ３４を逆転させると同時に巻取モータ４６を正転させることによっても、経糸１２の張力を変化させることができる。なお、この場合は、経糸張力制御部５８から巻取モータ４６へ駆動信号を直接出力する。
【００６０】
ここで、復帰目標経糸張力値とは、起動開始までに復帰させるべき、経糸１２の張力値である。
【００６１】
その後、織機制御装置６２は、主軸４４の回転角度θを、筬打ち開始角度である例えば１８０°になるように回転させる。
【００６２】
［運転期間］
【００６３】
経糸送出装置４０は、経糸１２の張力が復帰目標経糸張力値になると、織機制御装置６２に復帰動作が完了した復帰運転完了信号を出力する。
【００６４】
復帰運転完了信号を受けた織機制御装置６２は、主軸モータ４２、送出モータ３４及び巻取モータ４６を作動させ、緯入れ及び筬打ちをして運転を開始する。こうして、織機１０は、起動準備期間から運転期間に移行する。
【００６５】
図３に示すように、織機１０が起動開始直後の所定期間に移行すると、経糸送出装置４０は、ピック毎に経糸張力センサにより検出された経糸の張力値の平均値を経糸張力平均値として、随時、記憶器５４に記憶する。
【００６６】
図示の例では、経糸張力制御部５８は、所定期間の始期を起動準備期間の経過後から１ピック期間を経過したときとしている。したがって、所定期間は、起動準備期間の経過時から起算して２ピック目から６ピック目の５ピック期間である。
【００６７】
経糸張力制御部５８は、さらに、所定期間すなわち上記の５ピック期間における５つの経糸張力平均値の経糸張力平均値を求め、記憶器５４に記憶する。したがって、所定期間とは、ピック期間を単位期間とした平均値を算出する対象の期間である。
【００６８】
織機１０が所定期間を経過すると、経糸張力制御部５８は経糸張力平均値及び定常運転目標経糸張力値を表示器５６の画面に表示させる。表示器５６の画面は、タッチパネルで構成されることが好ましい。
【００６９】
経糸張力平均値及び定常運転目標経糸張力値を表示器５６の画面に表示させることにより、作業者は定常運転目標経糸張力値と経糸張力平均値との差を表示器５６の画面を目視することにより把握することができる。
【００７０】
作業者が定常運転目標経糸張力値より経糸張力平均値が小さいと判断したとき、作業者は表示器５６の画面に表示されている所定のボタンを押下することにより、次の起動準備期間の復帰動作に適用する復帰目標経糸張力値を大きな値に修正することができる。
【００７１】
また、作業者が定常運転目標経糸張力値より経糸張力平均値が大きいと判断したとき、作業者は表示器５６の画面に表示されている所定のボタンを押下することにより、次の起動準備期間の復帰動作に適用する復帰目標経糸張力値を小さな値に修正することができる。
【００７２】
送出モータ３４の出力軸の回転速度の変動が大きくかつ回転速度が設定された回転速度に達していないとき、及び主軸４４の回転速度が定常回転速度に達していないときに検出される経糸１２の張力値は、正確な経糸の張力値ではない場合がある。このような場合には、起動直後の数ピック間の経糸張力検出値は経糸張力平均値の演算に用いないようにする。この実施例では、１ピック目の経糸張力検出値は経糸張力平均値の演算に用いない。
【００７３】
記憶器５４は、経糸張力平均値を少なくとも次の起動開始まで、詳細には次の起動時の所定期間の演算が終了するまで記憶する。
【００７４】
このようにして、表示器５６に経糸張力平均値及び定常運転目標経糸張力値を同時に表示することにより、作業者が織機１０の表示器５６の画面に表示されている所定のボタンを押下することにより、設定器５２に設定されている復帰目標経糸張力値を容易に修正することができる。
【００７５】
このため、次の製織の定常運転期間の前の起動準備期間において、修正された復帰目標経糸張力値に近づけるように、経糸の送出量および巻取量の少なくともいずれか一方を制御するから、経糸張力変化（経糸張力低下）及び経糸張力変化に伴う送出速度の変化による織機の起動直後に発生する織段を抑制でき、起動後も直ちに安定した運転を行うことができる。その結果、織機の起動直後であっても織段は殆ど発生しない。
【００７６】
［変形例１］
【００７７】
以上の経糸送出装置４０は、以下のようにすることができる。
【００７８】
経糸張力センサ３８による経糸１２の張力値を検出する所定期間の最小単位は、１ピック毎でなく、複数のピック毎であってもよい。複数のピックは、例えば、複数のピックで構成される製織パターン又は開口パターンを１サイクル（期間）として定めてもよい。
【００７９】
図示の例では、演算器５０は検出期間に検出した経糸の張力値の全てに基づいて経糸張力平均値を算出したが、演算器５０は検出期間に検出した経糸の張力値の一部に基づいて経糸張力平均値を算出してもよい。
【００８０】
具体的には、検出期間の１ピック目から数ピック目までの連続して検出した経糸張力値に基づいて経糸張力平均値を算出してもよいし、検出期間において検出された経糸の複数の張力値から１つ又は複数おきに選択し、選択された複数の張力値に基づいて経糸張力平均値を算出してもよい。
【００８１】
表示器５６は、その画面に検出期間における経糸張力平均値の代わりに又は経糸張力平均値と共に２ピック目から６ピック目すなわちピック毎の各経糸張力平均値を比較できるように表示してもよい。
【００８２】
［変形例２］
【００８３】
記憶器５４は、経糸張力平均値が定常運転目標経糸張力値に達するまでの起動後からのピック数、又は経糸張力平均値が定常運転目標経糸張力値に安定する状態に達するまで、詳細には、例えば、経糸張力平均値が所定ピック連続で定常運転目標経糸張力値に達するまでのピック数を記憶する。
【００８４】
作業者は、記憶されたピック数を表示器５６に表示することにより、記憶されたピック数に応じて次の起動準備期間に復帰動作を行わせるか否かの判断をすることができる。
【００８５】
具体的には、このピック数が大きい場合は経糸張力平均値が定常運転目標経糸張力値に達するまで時間が掛かっていることを意味し、起動前の経糸張力の落ち込みが大きいと推測される。
【００８６】
また、経糸張力制御部５８は、このピック数（期間）に応じて次の製織時に復帰動作を行うか否かを自動的に判断するようにしてもよい。
【００８７】
この場合、経糸張力制御部５８は、織機運転中に経糸張力平均値が定常運転目標経糸張力値にほぼ同一の状態に達したことを判断する。そして、記憶器５４は、起動後からほぼ同一の状態に達したときのピック数を記憶する。
【００８８】
経糸張力制御部５８が復帰動作を行うか否かを自動的に判断する場合、例えば予め停台時間毎のしきい値を設定し、ピック数がしきい値より大きい場合は停台時間に応じた復帰動作を行うようにすることができる。
【００８９】
［変形例３］
【００９０】
作業者が変形例２の記憶されたピック期間の数に応じて、手動で次の復帰動作の復帰目標経糸張力値を変更できるようにしてもよい。
【００９１】
例えば、上記ピック数が所定のピック数を上回ると、復帰目標経糸張力値を手動で所定割合増加させるようにすることができる。また、経糸張力制御部５８、次の復帰動作を行う際に、このピック数に応じて自動的に復帰目標経糸張力値を変更してもよい。
【実施例２】
【００９２】
図４は、復帰動作における復帰目標経糸張力値の設定、及び経糸張力平均値と定常運転目標経糸張力値との差が設定された許容範囲内であるか否かを判定し、許容範囲外であれば、経糸張力値に基づく大小関係を表示する設定表示画面を示す。
【００９３】
作業者が増加ボタンＢ１及び減少ボタンＢ２を押下することにより、復帰目標経糸張力値は、定常運転目標経糸張力値の９６％〜１０２％までの範囲の値に変更される。作業者が増加ボタンＢ１及び減少ボタンＢ２を１回押下すると、復帰目標経糸張力値は、１％刻みで変更される。また、作業者が表示器５６のＯＦＦボタンに変更すると、経糸送出装置４０は、復帰動作を行わない。
【００９４】
復帰目標経糸張力値は、定常運転目標経糸張力値のパーセンテージを設定変更可能にすることで、復帰目標経糸張力値を微調整することができる。また、定常運転目標経糸張力値が変更されると復帰目標経糸張力値も変更される。
【００９５】
復帰目標経糸張力値を設定後、運転指令信号Ｓ１が織機制御装置６２及び経糸送出装置４０に入力されると、復帰動作が行われ、経糸張力が復帰目標経糸張力値に達すると織機１０は定常運転期間に移行する。
【００９６】
織機１０は、起動後、最初の６ピックまで製織すると、経糸張力制御部５８は、定常運転目標経糸張力値と経糸張力平均値とを比較し、経糸張力平均値が定常運転目標経糸張力値より１ｋｇを超える場合は判定箇所Ａに右向きの三角印を表示し、作業者に今回の製織中の実際の経糸張力は定常運転目標経糸張力値より大きいことを知らせる。
【００９７】
これを見た作業者は、次の製織時には経糸張力を低くするために、復帰目標経糸張力値を下げる。
【００９８】
また、定常運転目標経糸張力値が経糸張力平均値より１ｋｇを超える場合は判定箇所Ａに左向きの三角印を表示する。さらに経糸張力平均値の定常運転目標経糸張力値に対する差が１ｋｇ未満の場合は判定箇所Ａに「○」印を表示する。判定箇所Ａの表示が「○」の場合は最適の経糸張力になっていることを意味する。
【００９９】
経糸張力調整における定常運転目標経糸張力値、経糸張力平均値、判定表示の過程の一例を表１に示す。なおこの表１は図５のように定常運転目標経糸張力値におけるパーセンテージを直接数値入力する場合の例である。
【０１００】
【表１】
2006057227.tif 000003
表１において、定常運転目標経糸張力値が２００ｋｇ、１回目の運転開始時の復帰目標経糸張力値が２００ｋｇ（定常運転目標経糸張力値の１００％）とする。
【０１０１】
まず、作業者が１回目の運転開始を行った結果、定常運転目標経糸張力値が２００ｋｇに対して経糸張力平均値が１９０ｋｇであった場合、その差は−１０ｋｇである。したがって、経糸張力平均値は定常運転目標経糸張力値に満たないから、判定箇所Ａには左向きの三角印が表示される。
【０１０２】
作業者はこの左向きの三角印で表示される判定を見てさらに経糸張力が必要であることを把握し、経糸張力が大きくなるように、復帰目標経糸張力値を２１０ｋｇ（１０５％）に設定する。
【０１０３】
次に、作業者が２回目の運転開始を行った結果、定常運転目標経糸張力値と経糸張力平均値との差は−５ｋｇであった。その結果、判定箇所Ａには左向きの三角印が表示される。作業者は、さらに経糸張力が大きくなるように復帰目標経糸張力値を２２０ｋｇ（１１０％）に設定する。
【０１０４】
次に、作業者が３回目の運転開始を行った結果、定常運転目標経糸張力値と経糸張力平均値との差は＋５ｋｇであった。その結果、判定箇所Ａには右向きの三角印が表示される。作業者は、今度は経糸張力が小さくなるように復帰目標経糸張力値を２１６ｋｇ（１０８％）に設定する。
【０１０５】
そして、作業者が４回目の運転開始を行った結果、定常運転目標経糸張力値と経糸張力平均値との差は−１ｋｇであった。その結果、判定箇所には「○」が表示される。これにより、最適な経糸張力となり経糸の張力の調整が完了する。
【０１０６】
このようにして、経糸張力値と定常運転目標張力値との大小関係を表示することにより、作業者は、復帰目標経糸張力値を容易に修正することができる。
【０１０７】
［変形例］
【０１０８】
図４に示すようにパーセンテージをボタンＢ１，Ｂ２を押下することにより変更できるようにしていたが、図５に示すようにパーセンテージを直接数値入力してもよい。又は、パーセンテージを入力する代わりに、復帰目標経糸張力値を直接数値入力してもよい。また、停止期間の長さ毎に又は起動における主軸の回転角度θ毎に、復帰目標経糸張力値を設定可能にしてもよい。
【実施例３】
【０１０９】
経糸送出装置４０は、表１に示すように、前回の復帰動作における上記大小関係を次の復帰作動にフィードバックさせてもよい。また、次の復帰動作における最適な復帰目標経糸張力値を自動的に求め設定してもよい。この場合、演算器５０が、定常運転目標経糸張力値と前回の復帰動作時の経糸張力平均値に基づいて、次の復帰動作における復帰目標経糸張力値を算出する。
【０１１０】
また経糸張力平均値と定常運転目標経糸張力値との差の大小に応じて復帰目標経糸張力値を変更させる値を変化させてもよい。例えば、経糸張力平均値と定常運転目標経糸張力値との差が小さい場合は復帰目標経糸張力値を変更する値を小さくしてもよい。
【０１１１】
なお、この実施例では、記憶器５４は、経糸張力平均値を少なくとも次の起動開始まで記憶する。詳細には、記憶器５４は、経糸張力制御部５８が復帰目標経糸張力値の算出が完了するまで記憶する。
【実施例４】
【０１１２】
上記の実施例では、定常運転目標経糸張力値の設定値及び起動直後の所定期間における経糸張力値の平均値を用いたが、平均値ではなく経糸張力値の主軸の回転角度における検出値に基づいて復帰目標経糸張力値を求めてもよい。その具体例を以下に説明する。
【０１１３】
図６は、主軸の回転角度θに対する、同位相での定常運転経糸張力値の検出値と、起動直後の所定期間における経糸の張力値とを重ね合わせたグラフである。
【０１１４】
図示の例では、起動直後の経糸直後の経糸張力値は定常運転目標経糸張力値より小さくなっている。
【０１１５】
通常、主軸が１°回転する毎に、経糸の張力値が経糸張力センサ３８により検出される。しかし、図６は、主軸が３０°回転する毎にプロットしてある。
【０１１６】
記憶器５４は、定常運転経糸張力値の検出値を記憶している。定常運転経糸張力値の検出値とは、主軸４４の回転角度に対する、運転期間において経糸張力が安定しているときの経糸張力値の検出値の変動値である。
【０１１７】
例えば、演算器５０は、織機の起動直後の所定ピック又は複数のピックの期間において、主軸の回転角度が１２０°のときの定常運転経糸張力値と、起動直後の所定期間における経糸の張力値とを比較する。しかし、定常運転経糸張力値を起動直後の経糸張力値を表示させ、作業者が比較してもよい。この場合、演算器５０は平均値の算出及び比較を行わないから、演算器５０は省略する。
【０１１８】
比較した結果、その差が所定の許容値（正側の許容値または負側の許容値）を超えた場合に、その差を解消するように次の復帰動作における復帰目標経糸張力値を所定の割合だけ増加又は減少させる。又は、実施例２のように、定常運転目標経糸張力値と起動直後の経糸張力値との大小関係を表示してもよい。
【０１１９】
また、例えば、所定のピック間の主軸の回転角度θにおける、定常運転経糸張力値の検出値と、起動直後の所定期間における経糸の張力値との差の平均に応じて、その差の平均値を０とするように、次の復帰動作における復帰目標経糸張力値を求めてもよい。この場合、主軸の回転角度θは連続した期間でもよいし間欠した期間でもよい。
【０１２０】
なお、経糸に基づく情報とは、経糸張力の平均値、検出値及び経糸張力の平均値と定常運転目標経糸張力値との大小関係を含む。上記の各実施例のように、平均値、大小関係を演算、比較するためには、演算器５０が必要である。
【図面の簡単な説明】
【０１２１】
【図１】本発明に係る経糸送出装置の一実施例を示す模式図である。
【図２】図１に示す経糸送出装置のブロック線図である。
【図３】図１に示す経糸送出装置の動作を説明するための経糸張力値の変化を示した時系列グラフである。
【図４】本発明に係る別の経糸送出装置の表示部の一実施例を示す模式図である。
【図５】本発明に係るさらに別の経糸送出装置の表示部の一実施例を示す模式図である。
【図６】本発明に係るさらに別の経糸送出装置の動作を説明する時系列グラフである。
【図７】定常運転時、寸動時及び停止時における同位相の経糸張力値の変化を示した時系列グラフである。
【符号の説明】
【０１２２】
Ｓ１  運転指令信号
Ｓ２  駆動信号
１０  織機
１２  経糸
１４  送出ビーム
１６  バックローラ
１８  綜絖枠
２０  筬
２２  織前
２４  緯糸
２６  織布
２８  服巻ロール
３０  プレスロール
３２  布巻ビーム
３４  送出モータ
３６  ギア機構
３８  経糸張力センサ
４０  経糸送出装置
４２  主軸モータ
４４  主軸
４６  巻取モータ
４８  エンコーダ
５０  演算器
５２  設定器
５４  記憶器
５６  表示器
５８  経糸張力制御部
６０  運転ボタン
６２  織機制御装置
【図１】
2006057227.tif 000004
【図２】
2006057227.tif 000005
【図３】
2006057227.tif 000006
【図４】
2006057227.tif 000007
【図５】
2006057227.tif 000008
【図６】
2006057227.tif 000009
【図７】
2006057227.tif 000010